(57)【要約】本発明は、殺菌用薬剤が溶解された薬剤液を造成してこれをバラスト水配管に供給させることができるようにした薬剤貯蔵及び溶解装置に関し、溶媒(淡水または海水)が流入及び貯蔵される薬剤溶解タンクの上部に円筒形状のホールディングケースを垂直方向に固定設置して、前記ホールディングケースの内部で円筒または多角桶形状の薬剤貯蔵桶を垂直方向に挿入設置するが、前記薬剤貯蔵桶の内部空間を放射状の仕切板によって複数個の垂直型薬剤貯蔵室に形成させる一方、前記ホールディングケースの底面には一つの薬剤貯蔵室と対応される薬剤投入口を形成させることで、前記薬剤貯蔵桶を直立された状態で回転させてそれぞれの薬剤貯蔵室を薬剤投入口と順次に対応させる方式で薬剤溶解タンクを通じた薬剤の自然落下式定量投入が可能であるようにさせて、これによって人体に有害な毒性を有する酸化剤形態の薬剤をより安全に管理及び使用するようにすることは勿論であり、それぞれの薬剤貯蔵室ごとにバラスト水の殺菌処理に要求される１回分の薬剤を正確な量で貯蔵させた状態で該当薬剤が薬剤溶解タンクに残らずすべて投入されることができるようにすることによって、薬剤と溶媒の不必要な無駄使いを防止すると共に薬剤液の濃度調節のための複雑な制御システムを適用しなくても要求する薬剤液の濃度を迅速で正確に組成させることができるようにしたバラスト水殺菌処理用薬剤貯蔵及び溶解装置を提供する。【選択図】図１
2017527439.tif 000002
【特許請求の範囲】
【請求項１】
バルブ機構を具備する溶媒供給管と薬剤液排出管がそれぞれ連結設置される函体形の薬剤溶解タンクと、前記薬剤溶解タンクの内部に投入される薬剤の貯蔵と配分のための薬剤投入器と、前記薬剤投入器から薬剤溶解タンクに投入された薬剤を溶媒と共に混合及び溶解させるための撹拌器を含んでなされるバラスト水殺菌処理用薬剤貯蔵及び溶解装置において、
前記薬剤投入器は薬剤溶解タンクの上部側から垂直方向に設置されて薬剤の自由落下式定量投入を遂行する薬剤定量投入器になって、
前記薬剤定量投入器は、上、下端部が開口された円筒または多角桶形状の薬剤貯蔵桶と、前記薬剤貯蔵桶が垂直方向に挿入設置される円筒形状のホールディングケースと、前記ホールディングケースに挿入された薬剤貯蔵桶を直立された状態で回転させるための駆動手段を含んでなされて、
前記薬剤貯蔵桶の内部空間は放射状の仕切板によって最小個以上の垂直型薬剤貯蔵室で区画形成されて、前記ホールディングケースの内側下部には薬剤貯蔵桶の下端面と密着される貯蔵桶支持板が設置される一方、前記貯蔵桶支持板には一つの薬剤貯蔵室と対応される扇形または三角形態の薬剤投入口が形成されて、
前記ホールディングケースの下端部は、薬剤溶解タンクの上部面を貫通する薬剤投入管になって、前記薬剤貯蔵桶の上端には着脱式カバーキャップが組み立て設置されることを特徴とするバラスト水殺菌処理用薬剤貯蔵及び溶解装置。
【請求項２】
前記駆動手段は、薬剤貯蔵桶の上側周縁部に固定設置される従動ギアと、前記従動ギアを薬剤貯蔵桶と共に回転させるためのステッピングモーターと、前記ステッピングモーターの駆動軸に設置されて従動ギアと噛み合うようになる駆動ギアを含んでなされて、
前記従動ギアの下部側に該当する薬剤貯蔵桶部分がホールディングケースの内部に挿入設置されて、前記従動ギアはホールディングケースの上端面に置かれることを特徴とする請求項に記載のバラスト水殺菌処理用薬剤貯蔵及び溶解装置。
【請求項３】
前記ステッピングモーターはホールディングケースの外側面に突出形成されたモータ支持台上に設置されることを特徴とする請求項に記載のバラスト水殺菌処理用薬剤貯蔵及び溶解装置。
【請求項４】
前記貯蔵桶支持板の下側には薬剤投入口を選択的に開閉させる投入口カバーが設置されて、前記ホールディングケースには投入口カバーの挿入のための装着スリットが形成されて、
前記投入口カバーは、装着スリットを通じてホールディングケースの内部に挿入される薬剤投入口用のカバー板と、前記カバー板の一側端に設置されてホールディングケースの外側面と密着される取っ手部でなされることを特徴とする請求項に記載のバラスト水殺菌処理用薬剤貯蔵及び溶解装置。
【請求項５】
前記ホールディングケースの下端側は漏斗部に形成されて、前記薬剤投入管は漏斗部の下端側から所定の長さ程度垂直下方に延長形成されて、
前記貯蔵桶支持板は漏斗部の直上部に配置されて、前記薬剤投入管の外周縁部にはホールディングケースを薬剤溶解タンク上に組み立てさせるための装着フランジが設置されることを特徴とする請求項乃至のうち何れか一つに記載のバラスト水殺菌処理用薬剤貯蔵及び溶解装置。
【請求項６】
前記薬剤溶解タンクにはバルブ機構と流量計を具備する中和剤投入管が連結設置されて、
前記薬剤溶解タンクの上部面には過圧排出器が設置されて、
前記薬剤溶解タンクの底面は漏斗形状でなされて、
前記薬剤液排出管は漏斗型底面の下端頂点部分と連結設置されることを特徴とする請求項乃至のうち何れか一つに記載のバラスト水殺菌処理用薬剤貯蔵及び溶解装置。
【請求項７】
前記薬剤溶解タンクにはバルブ機構と循環ポンプを具備する循環配管が追加で設置されて、前記循環配管は薬剤溶解タンクの下端側と上部面を連結する配管ラインになって、
前記中和剤投入管は循環配管と連結設置されることを特徴とする請求項に記載のバラスト水殺菌処理用薬剤貯蔵及び溶解装置。
【発明の詳細な説明】
【技術分野】
【０００１】
本発明は、溶媒(淡水または海水)が流入及び貯蔵される薬剤溶解タンクの上部に円筒形状のホールディングケースを垂直方向に固定設置して、前記ホールディングケースの内部に円筒または多角桶形状の薬剤貯蔵桶を垂直方向に挿入設置するが、前記薬剤貯蔵桶の内部空間を放射状の仕切板によって複数個の垂直型薬剤貯蔵室に形成させる一方、前記ホールディングケースの底面には一つの薬剤貯蔵室と対応される薬剤投入口を形成させることで、前記薬剤貯蔵桶を直立された状態で回転させてそれぞれの薬剤貯蔵室を薬剤投入口と順次に対応させる方式で薬剤溶解タンクを通じた薬剤の自然落下式定量投入が可能であるようにさせたバラスト水殺菌処理用薬剤貯蔵及び溶解装置に関するものである。
【背景技術】
【０００２】
一般的に、バラスト水(Ballast water)は、船舶から貨物を荷役させた状態または船舶に積載された貨物の量が非常に少ない状態で船舶を運行する場合、船舶が均衡を失うことを防止できるように船舶の底部両側に設置されたバラストタンクの内部に満たす浮力調整用淡水または海水を言うものである。
【０００３】
前記のようなバラスト水には、バラスト水を満たした地域の淡水や海水に含まれた病原性菌及びプランクトンなどの各種微生物が棲息しているので、これを何らの処理なしに他地域の水域に排出させる場合、バラスト水によった深刻な海洋汚染及び生態系の破壊を誘発させる恐れが高くなる。
【０００４】
上のような状況に即して、１９９６年アメリカでは国家侵入種法律を制定することで、外来種を侵入者で規定してバラスト水に対する管理と統制を義務化しており、オーストラリアでは検疫法を改正してバラスト水を検疫対象になる輸入貨物で規定することはもちろん、これに対する直接検疫を実施している。
【０００５】
一方、国際海事機関(ＩＭＯ:International Maritime Organization)では２００４年２月国際協約を締結して２００９年から順次にバラスト水の殺菌及び浄化処理に必要な装置を船舶に搭載するようにしており、これに違反するときには該当船舶の入港を前面禁止するようにした。
【０００６】
参照事項で、国際海事機関が決めるバラスト水処理基準によれば、船舶から排出されるバラスト水に含まれる５０μm以上の微生物(主に、動物性プランクトン)の数は１ｍ３中に１０個未満、１０μm以上５０μm未満の微生物(主に、植物性プランクトン)の数は１ｍＬ中に１０個未満、コレラ菌の数は１００ｍＬ中に１ｃｆｕ未満、大膓菌の数は１００ｍＬ中に２５０ｃｆｕ未満、長久菌の数は１００ｍＬ中に１００ｃｆｕ未満だけでなされている。
【０００７】
このような趨勢に歩調をあわせて、最近になって韓国特許登録公報第１０-０９６３３５１号に記載されたように塩素系殺菌剤のような化学薬剤の注入を通じたバラスト水の殺菌処理技術が登場している。
【０００８】
前記のようにバラスト水中の微生物を死滅させるために使われる薬剤は毒性を持っている酸化剤の形態が大部分であるので、作業者の安全のために取り扱いに注意を要し、特に、船上でのような制限的で密閉的な環境条件下で該当薬剤を扱う場合には安全が最優先的に考慮されなければならない。しかしながら、現在までは薬剤液の正確な濃度を合わせるために溶媒(淡水または海水)が貯蔵された薬剤溶解タンクに薬剤を投入させる作業を人力に頼っている実情である。
【０００９】
他の一方で、薬剤が貯蔵された薬剤貯蔵桶の下端投入口に移送スクリュー装置を設置し、該当移送スクリュー装置の出口側を薬剤溶解タンクと連結させることで、薬剤の供給をスクリュー移送方式で遂行するようにすることもできるが、薬剤の大部分が粉末またはペレット(Pellet:錠剤や料粒状の粒子)の形態を有するため、移送スクリューを通じた薬剤の移送方式としては、正確な量の薬剤投入を保障し難い問題点が発生することとなる。
【００１０】
また、移送スクリューを利用して粉末やペレットの形態の薬剤を供給させるようになれば、移送スクリューに沿って薬剤粉末や薬剤ペレットが固まった形態で押されて行く途中に薬剤の固まりの内部に発生する粒子間の空隙や薬剤間の密集度が時々刻々、変わるようになるというものである。これによって薬剤成分が溶解された薬剤液の濃度もバラスト水の処理に要求される基準を易しく越すか、または該当基準に及ぶことができない状況がよく起きる。
【００１１】
前記のような要因によって、スクリュー移送方式で薬剤を供給する場合には薬剤液の濃度を感知するセンサー器具を薬剤溶解タンクに設置した状態で、該当センサー器具から測定された濃度基準に合わせて移送スクリュー装置による薬剤の追加投入(低濃度時)または薬剤溶解タンクを通じた溶媒の追加投入(高濃度時)などをコントローラーで制御して薬剤液の濃度を要求する基準に合わせて調整させる作業が随伴されなければならない。
【００１２】
しかし、前記のような方式に従えば、バラスト水の１回殺菌処理に必要な薬剤と溶媒の投入量が基準値を超過する素地があるので、薬剤と溶媒の不必要な無駄使いを誘発させるだけでなく、薬剤貯蔵桶と移送スクリュー装置及び薬剤溶解タンクと共に薬剤液の濃度調整のための制御システムが追加で設置されなければならない。このことで、設置費用の上昇による経済的な負担は勿論で、船舶内の狭小な空間に制御システムを追加で配置させる作業も困難である問題点があった。
【発明の概要】
【発明が解決しようとする課題】
【００１３】
本発明は、前記のような従来の問題点を解決するために案出されたものであり、溶媒(淡水または海水)が流入及び貯蔵される薬剤溶解タンクの上部に円筒形状のホールディングケースを垂直方向に固定設置して、前記ホールディングケースの内部に円筒または多角桶形状の薬剤貯蔵桶を垂直方向に挿入設置するが、前記薬剤貯蔵桶の内部空間を放射状の仕切板によって複数個の垂直型薬剤貯蔵室に形成させる一方、前記ホールディングケースの底面には一つの薬剤貯蔵室と対応される薬剤投入口を形成させることで、前記薬剤貯蔵桶を直立された状態で回転させて、それぞれの薬剤貯蔵室を薬剤投入口と順次に対応させる方式で薬剤溶解タンクを通じた薬剤の自然落下式定量投入が可能であるようにさせている。これによって、人体に有害な毒性を有する酸化剤形態の薬剤をより安全に管理及び使用するようにすることは勿論、それぞれの薬剤貯蔵室ごとにバラスト水の殺菌処理に要求される１回分の薬剤を正確な量で貯蔵させた状態で該当の薬剤が薬剤溶解タンクに全てを投入されることができるようにすることで、薬剤と溶媒の不必要な無駄使いを防止すると同時に、薬剤液の濃度調節のための複雑な制御システムを適用しなくても要求する薬剤液の濃度を迅速で正確に組成させることができるようにしたバラスト水殺菌処理用薬剤貯蔵及び溶解装置を提供することをその技術的な課題とする。
【課題を解決するための手段】
【００１４】
前記の技術的課題を解決するための手段で、本発明の一実施例によれば、バルブ器具を具備する溶媒供給管と薬剤液排出管がそれぞれ連結設置される函体形の薬剤溶解タンクと、前記薬剤溶解タンクの内部に投入される薬剤の貯蔵と配分のための薬剤投入器と、前記薬剤投入器から薬剤溶解タンクに投入された薬剤を溶媒と共に混合及び溶解させるための撹拌器（攪拌機）を含んでなされるバラスト水殺菌処理用薬剤貯蔵及び溶解装置において、前記薬剤投入器は薬剤溶解タンクの上部側から垂直方向に設置されて薬剤の自由落下式定量投入を遂行する薬剤定量投入器になって、前記薬剤定量投入器は、上、下端部が開口された円筒または多角桶形状の薬剤貯蔵桶と、前記薬剤貯蔵桶が垂直方向に挿入設置される円筒形状のホールディングケースと、前記ホールディングケースに挿入された薬剤貯蔵桶を直立された状態で回転させるための駆動手段を含んでなされて、前記薬剤貯蔵桶の内部空間は放射状の仕切板によって最小３個以上の垂直型薬剤貯蔵室で区画形成されて、前記ホールディングケースの内側下部には薬剤貯蔵桶の下端面と密着される貯蔵桶支持板が設置される一方、前記貯蔵桶支持板には一つの薬剤貯蔵室と対応される扇形または三角形態の薬剤投入口が形成されて、前記ホールディングケースの下端部は薬剤溶解タンクの上部面を貫通する薬剤投入管になって、前記薬剤貯蔵桶の上端には着脱式カバーキャップが組み立て設置されるバラスト水殺菌処理用薬剤貯蔵及び溶解装置が提供されることができる。
【００１５】
一実施例で、前記薬剤貯蔵桶の駆動手段は、薬剤貯蔵桶の上側周縁部に固定設置される従動ギアと、前記従動ギアを薬剤貯蔵桶と共に回転させるためのステッピングモーターと、前記ステッピングモーターの駆動軸に設置されて従動ギアとかみ合うようになる駆動ギアを含んでなされて、前記従動ギアの下部側に該当する薬剤貯蔵桶部分がホールディングケースの内部に挿入設置されて、前記従動ギアはホールディングケースの上端面に置かれることを特徴として、前記ステッピングモーターはホールディングケースの外側面に突出形成されたモータ支持対象に設置されることを特徴として、前記貯蔵桶支持板の下側には薬剤投入口を選択的に開閉させる投入口カバーが設置されて、前記ホールディングケースには投入口カバーの挿入のための装着スリットが形成されて、前記投入口カバーは、装着スリットを通じてホールディングケースの内部に挿入される薬剤投入口用カバー板と、前記カバー板の一側端に設置されてホールディングケースの外側面と密着される取っ手部でなされることを特徴とする。
【００１６】
また、前記ホールディングケースの下端側は漏斗部で形成されて、前記薬剤投入管は漏斗部の下端側から所定の長さ程度垂直下方に延長形成されて、前記貯蔵桶支持板は漏斗部の直上部に配置されて、前記薬剤投入管の外周縁部にはホールディングケースを薬剤溶解タンク上に組み立てさせるための装着フランジが設置されることを特徴として、前記薬剤溶解タンクにはバルブ器具と流量計を具備する中和剤投入管が連結設置されて、前記薬剤溶解タンクの上部面には過圧排出器が設置されて、前記薬剤溶解タンクの底面は漏斗形状でなされて、前記薬剤液排出管は漏斗型底面の下端頂点部分と連結設置されることを特徴として、前記薬剤溶解タンクにはバルブ器具と循環ポンプを具備する循環配管が追加で設置されて、前記循環配管は薬剤溶解タンクの下端側と上部面を連結する配管ラインになって、前記中和剤投入管は循環配管と連結設置されることができる。
【発明の効果】
【００１７】
前記のような本発明によれば、薬剤貯蔵桶を直立された状態で回転させて、それぞれの薬剤貯蔵室を薬剤投入口と順次に対応させる方式で薬剤溶解タンクを通じた薬剤の自然落下式定量投入が可能であるようにさせる効果があり、これによって人体に有害な毒性を有する酸化剤形態の薬剤をより安全に管理及び使用できるようにすることは勿論、それぞれの薬剤貯蔵室ごとにバラスト水の殺菌処理に要求される１回分の薬剤を正確な量で貯蔵させた状態で該当薬剤が薬剤溶解タンクに残らずすべて投入されることができるようにすることによって、薬剤と溶媒の不必要な無駄使いを防止すると共に薬剤液の濃度調節のための複雑な制御システムを適用しなくても要求する薬剤液の濃度を迅速で正確に組成させることができる効果を奏する。
【００１８】
また、ホールディングケースの貯蔵桶支持板に形成された薬剤投入口を投入口カバーによって選択的に開閉させることができるようにすることで、薬剤貯蔵桶の内部に区画されたすべての薬剤貯蔵室への薬剤投入が可能であるようにさせて薬剤定量投入器を利用した薬剤液組成作業の回数をさらに充分に確保することができる効果を奏し、薬剤溶解タンクに循環ポンプを具備する循環配管を追加で設置して、薬剤液自体の循環を可能にさせた状態で、この循環配管上に中和剤投入管を連結させることによって、毒性を有する薬剤液を中和剤で中和させて船舶の外部に排出させる作業も撹拌器と循環配管の併用を通じてさらに迅速で容易に遂行することができるなどの非常に有用な効果を奏する。
【図面の簡単な説明】
【００１９】
【図１】本発明の実施の形態によるバラスト水殺菌処理用薬剤貯蔵及び溶解装置の外観斜視図である。
【図２】図１の正断面図である。
【図３】本発明の腰部をなす薬剤定量投入器の分解斜視図である。
【図４】図３の結合された状態の正断面図である。
【図５】ホールディングケースの平面図である。
【図６】薬剤貯蔵桶の他の実施例を示す平面図である。
【発明を実施するための形態】
【００２０】
以下、前記の目的を達成するための本発明の実施の形態を添付された図面を参照して詳細に説明する。
【００２１】
本発明によるバラスト水殺菌処理用薬剤貯蔵及び溶解装置は、図１及び図２にそれぞれ示されたように、バルブ機構Ｖを具備する溶媒供給管４と薬剤液排出管３が上端側と下端側にそれぞれ連結設置される函体形の薬剤溶解タンク２と、前記薬剤溶解タンク２の内部に投入される化学薬剤、例えば塩素系殺菌剤などの貯蔵と配分のための薬剤定量投入器１０と、前記薬剤定量投入器１０から薬剤溶解タンク２に投入された薬剤を溶媒と共に混合及び溶解させるための撹拌器８を含んでなされて、前記薬剤定量投入器１０と撹拌器８は薬剤溶解タンク２の上部面に垂直方向に設置される。
【００２２】
前記薬剤溶解タンク２の外側面には構造的強度の補強のための格子型の補強肉２ｂが設置される一方、薬剤定量投入器１０と撹拌器８の設置及び維持補修などのために作業者が薬剤溶解タンク２の上部に上がるように梯子形態の取っ手２ｃが設置されており、薬剤溶解タンク２の上部面には過圧排出器２ａと運び用の掛け環２ｄが追加で設置されて、薬剤溶解タンク２の下部側には支持板とフレームによる装置ベース１ａが設置されている。
【００２３】
前記撹拌器８は、図２でのように薬剤溶解タンク２の上部面に垂直方向で固定設置される撹拌モータ８ａと、前記撹拌モータ８ａの駆動軸と連結された状態で薬剤溶解タンク２の上部面を貫通して薬剤溶解タンク２の内部に延長されるインペラ軸８ｂと、前記インペラ軸８ｂの下端に連結設置されるインペラ９でなされて、前記インペラ９はインペラハブ９ａの周縁部上に複数個の撹拌翼９ｂが放射状で連結設置されたものであり、前記薬剤溶解タンク２の底面は漏斗形状でなされて、前記薬剤液排出管３は漏斗型底面の下端頂点部分と連結設置されている。
【００２４】
本発明の第１腰部に該当する前記薬剤定量投入器１０は薬剤溶解タンク２の上部面に垂直方向で連結設置されて薬剤の自由落下式定量投入を遂行するようにしたものとして、図１乃至図５にわたって示されるように、上、下端部が開口された円筒形状の薬剤貯蔵桶１４と、前記薬剤貯蔵桶１４が垂直方向に挿入設置される円筒形状のホールディングケース１１と、前記ホールディングケース１１に挿入された薬剤貯蔵桶１４を直立された状態で回転させるための駆動手段を含んでなされる。
【００２５】
前記ホールディングケース１１の下端部は薬剤溶解タンク２の上部面を貫通する薬剤投入管１２になって、前記薬剤貯蔵桶１４の上端側には着脱式のカバーキャップ(Cover cap)１６が組み立て設置されて、前記薬剤貯蔵桶１４の内部空間は放射状の仕切板１５ａによって複数個の垂直型薬剤貯蔵室１５で区画形成されて、前記ホールディングケース１１の内側下部には薬剤貯蔵桶１４の下端面と密着される貯蔵桶支持板１８が設置されて、前記貯蔵桶支持板１８には一つの薬剤貯蔵室１５と対応される扇形形態の薬剤投入口１８ａが形成されている。
【００２６】
より望ましくは、前記ホールディングケース１１の下側部分を漏斗部１１ａで形成させて、前記薬剤投入管１２は漏斗部１１ａの下端側から所定の長さ程度、垂直下方に延長させた状態で、該当する薬剤投入管１２の中央側外周縁部にホールディングケース１１を薬剤溶解タンク２上に組み立てさせるための装着フランジ１３を設置するものであり、前記貯蔵桶支持板１８は漏斗部１１ａの直上部に配置されて、前記装着フランジ１３には組み立てボルトの締結のための締結孔１３ａが形成される。
【００２７】
前記のような構造のホールディングケース１１を適用すれば、薬剤定量投入器１０を薬剤溶解タンク２上に装着させる作業の便宜性と堅固な装着状態をはかることができるし、前記漏斗部１１ａを形成させないで薬剤投入管１２を含むホールディングケース１１を一字型の円筒形状で製作した後、前記装着フランジ１３をホールディングケース１１の下端部に設置する方式も可能であることは勿論である。
【００２８】
また、前記装着フランジ１３と貯蔵桶支持板１８とそれぞれの仕切板１５ａはホールディングケース１１及び薬剤貯蔵桶１４と等しい材質にして一体で形成させることが望ましくて、必要時に装着フランジ１３と貯蔵桶支持板１８とそれぞれの仕切板１５ａを別途の部品で製作して、これをホールディングケース１１及び薬剤貯蔵桶１４と接着(溶接)または組み立てさせる方式も可能であることを明らかにしておく。
【００２９】
図面上、薬剤貯蔵桶１４の内部に４５度の角度範囲で総８個の薬剤貯蔵室１５が区画されたものとして示されているが、最小３個以上の薬剤貯蔵室１５を等しい寸法と角度範囲で形成させる条件下で、バラスト水の処理に必要な薬剤の投入量と投入回数に合わせて薬剤貯蔵室１５の個数や体積などは任意に調整が可能であり、前記カバーキャップ１６は迅速な薬剤投入と投入された薬剤の露出防止のために気密維持が可能な水準のねじ締結方式で薬剤貯蔵桶１４と組み立てさせることが望ましい。
【００３０】
本発明の第２腰部に該当する構成要素として前記薬剤貯蔵桶１４の駆動手段は、薬剤貯蔵桶１４の上側周縁部に固定設置される従動ギア１４ａと、前記従動ギア１４ａを薬剤貯蔵桶１４と共に回転させるためのステッピングモーター２０と、前記ステッピングモーター２０の駆動軸２１に設置されて従動ギア１４ａとかみ合うようになる駆動ギア２２を含んでなされて、前記従動ギア１４ａも薬剤貯蔵桶１４と一体で形成させることが望ましい。
【００３１】
よって、前記従動ギア１４ａの下部側に該当する薬剤貯蔵桶１４部分がホールディングケース１１の内部に挿入設置されて、前記従動ギア１４ａはホールディングケース１１の上端面に置かれるものであり、前記ステッピングモーター２０を薬剤溶解タンク２の上部面に設置することも可能であるが、薬剤定量投入器１０のモジュール化及び嵩（ボリューム）縮小などのためにホールディングケース１１の外側面にモータ支持台２３を一体で突出形成させた後、該当するモータ支持台２３上にステッピングモーター２０を設置することが一番望ましい。
【００３２】
前記のように薬剤貯蔵桶１４の外周面に従動ギア１４ａを設置して、これをステッピングモーター２０の駆動ギア２２と直結させる方式を適用することが駆動手段の手軽い設置と容易な維持および補修の両側面で一番望ましくて、駆動ギア２２と従動ギア１４ａが噛み合うギア式電動手段以外にもベルトとプーリーまたはチェーンとスープラケットなどの他の電動手段が適用されることもでき、駆動ギア２２と従動ギア１４ａをベルトギア(タイミングベルト)で連結させる方式も可能である。
【００３３】
しかし、ホールディングケース１１の内部に挿入された薬剤貯蔵桶１４を直立された状態で回転させることができるものならどのような形態の駆動手段が適用されても構わない。代表的な例を挙げると、薬剤貯蔵桶１４の下側面中心部、すなわち、それぞれの仕切板１５ａが交差される部分に回転軸を一体で連結設置するが、前記回転軸が貯蔵桶支持板１８を貫通して薬剤投入管１２の内部まで延長されるようにして、薬剤投入管１２の内部中心側に放射状の支持リブによってステッピングモーター２０を配置させた状態で、ステッピングモーター２０の駆動軸２１を薬剤貯蔵桶１４の回転軸と連結させるものである。
【００３４】
本発明の第３腰部に該当する構成要素として、前記貯蔵桶支持板１８の下側には薬剤投入口１８ａを選択的に開閉させる投入口カバー１７が設置されて、前記ホールディングケース１１の漏斗部１１ａ上端側には投入口カバー１７の挿入のための長孔形態の装着スリット１７ｃが形成されるが、前記投入口カバー１７は、装着スリット１７ｃを通じてホールディングケース１１の内部に挿入される薬剤投入口１８ａ用のカバー板１７ｂと、前記カバー板１７ｂの一側端に設置されてホールディングケース１１の外側面と密着される取っ手部１７ａで構成することが一番望ましい。
【００３５】
図６は、本発明に使われる薬剤貯蔵桶１４の他の実施例を現わしたものとして、図１乃至図５にわたって示された円筒形状の薬剤貯蔵桶１４の代りに多角桶(図面上、８角桶)形状の薬剤貯蔵桶１４を使ったものであり、このような多角桶形状の薬剤貯蔵桶１４は薬剤貯蔵室１５の容積がすこし減る短所はあるが、ホールディングケース１１との接触面積を最小化させて駆動手段を利用した薬剤貯蔵桶１４の直立式回転作動をさらに円滑に遂行することができる利点を提供する。
【００３６】
前記のように多角桶形状の薬剤貯蔵桶１４を使用する場合、貯蔵桶支持板１８の薬剤投入口１８ａは図５でのような扇形形態になることもできて、図６の薬剤貯蔵室１５と対応される三角形態になることもでき、前記投入口カバー１７のカバー板１７ｂは薬剤投入口１８ａの下側で薬剤投入口１８ａを臨時に塞いでおくことができる形態なら十分であり、投入口カバー１７の取っ手部１７ａはホールディングケース１１の外側面と完全に密着されて薬剤成分が外部に露出されないように円弧状で形成させることが望ましい。
【００３７】
最後に、図１及び図２でのようにバルブ機構Ｖと流量計５ａを具備する中和剤投入管５を薬剤溶解タンク２上に追加で連結させることで、バラスト水の殺菌処理以後、薬剤溶解タンク２に残存する薬剤液の毒性を中和剤で中和させて船舶の外部に排出させることができるようにし、図面上、２個の中和剤投入管５が連結されたもので図示されているが、最小１個の中和剤投入管５を薬剤溶解タンク２と連結させることだけでも十分である。
【００３８】
前記のような中和剤投入管５の適用に合わせて、薬剤溶解タンク２の前方側にはバルブ機構Ｖと循環ポンプ７を具備する循環配管６が追加で設置されるが、前記循環配管６は薬剤溶解タンク２の下端側と上部面を連結する配管ラインになって、前記循環配管６にそれぞれの中和剤投入管５を連結させることで、薬剤溶解タンク２に貯蔵された薬剤液自体を循環させるようにする一方、この過程で薬剤液を通じて中和剤が投入されることができるようにした。
【００３９】
図面上、循環配管６の上端側に設置されたフリーミキサー６aは、薬剤溶解タンク２の内部に中和剤を投入させる以前に中和剤を薬剤液と共に１次混合させて中和反応に必要な時間をさらに短縮させるようにしたものであり、循環ポンプ７の入口側に該当する循環配管６には異物のフィルター器具を設置して循環ポンプ７の安全な稼動を保障するようにし、前記フィルター器具として図面上、Ｙフィルター６ｂが設置されているが、これ以外にも多様なフィルター器具が適用できることは勿論である。
【００４０】
前記のような本発明によれば、貯蔵桶支持板１８の薬剤投入口１８ａが薬剤貯蔵桶１４に形成された一つの薬剤貯蔵室１５と対応されるように薬剤貯蔵桶１４をホールディングケース１１に挿入させて、該当位置で従動ギア１４ａと駆動ギア２２がお互いに噛み合うようにした後、それぞれの薬剤貯蔵室１５に要求する量の薬剤を投入させて、薬剤貯蔵桶１４の上端にカバーキャップ１６を装着させる順に薬剤定量投入器１０をセッティングした状態で、ホールディングケース１１に挿入された薬剤貯蔵桶１４をステッピングモーター２０と駆動ギア２２及び従動ギア１４ａを利用して直立された状態で回転させるが、バラスト水の１回殺菌処理時ごとにそれぞれの薬剤貯蔵室１５が貯蔵桶支持板１８の薬剤投入口１８ａと順次に対応されるようにすれば、該当する薬剤貯蔵室１５に貯蔵された薬剤が薬剤投入口１８ａを経って薬剤溶解タンク２の内部に落下される。
【００４１】
前記のようにバラスト水の殺菌処理が要求される時点ごとにそれぞれの薬剤貯蔵室１５に貯蔵された薬剤を自然的な落下方式によって薬剤溶解タンク２に投入させることができるようにすることで、人体に有害な毒性を有する酸化剤形態の薬剤を薬剤貯蔵桶１４に貯蔵させた状態で安全に管理及び使用することができることは勿論であり、それぞれの薬剤貯蔵室１５ごとにバラスト水の殺菌処理に要求される１回分の薬剤を正確な量で貯蔵させた状態で、バラスト水の殺菌処理が要求される時点に該当する薬剤が薬剤溶解タンク２に残らずすべて投入できるようにすることによって、薬剤液の濃度を要求する基準に合わせて迅速で正確に組成させることができる。
【００４２】
よって、従来の技術内容で説明された通常の移送スクリュー装置と比べて薬剤と溶媒の不必要な無駄使いを防止することができ、薬剤液の濃度調節のための複雑な制御システムを適用する代わりにステッピングモーター２０の回転数のみを制御する簡単な方式で薬剤液の濃度を要求する濃度で正確に合わせることができる。このため、薬剤貯蔵及び溶解装置１の設置費用を節減できることは勿論であり、薬剤定量投入器１０を薬剤溶解タンク２の直上部に配置して狭い船舶内の空間活用性も向上させることができる。
【００４３】
特に、貯蔵桶支持板１８に形成された薬剤投入口１８ａを投入口カバー１７によって選択的に開閉できるようにすることで、薬剤貯蔵桶１４の内部に区画されたすべての薬剤貯蔵室１５への薬剤投入が可能であるようにし、薬剤定量投入器１０を利用した薬剤液組成作業の回数、すなわち、バラスト水の殺菌処理回数をさらに充分に確保し、循環ポンプ７を具備する循環配管６上に中和剤投入管５を連結させることによって、毒性を有する薬剤液を中和剤で中和させて船舶の外部に排出させる作業も撹拌器８と循環配管６との併用を通じてさらに迅速で容易に遂行することができるものである。
【００４４】
追加的な事項として、前記薬剤溶解タンク２及びこれと共に設置される配管ラインなどは既存の方式のように耐腐食性が優秀な金属素材、例えばステンレススチール素材を使用するか、または耐腐食性コーティングを遂行した金属製品を使用することが望ましくて、ステッピングモーター２０を除いた薬剤定量投入器１０の各部品はチープな製作費用と装置の軽量化のような利点を考慮してプラスチック素材を使用することが望ましくて、それぞれのバルブ機構Ｖはボールバルブを使用することが一番望ましい。
【産業上の利用可能性】
【００４５】
以上に説明したように、本発明の多様な実施例によれば、薬剤と溶媒の不必要な無駄使いを防止すると共に薬剤液の濃度調節のための複雑な制御システムを適用しなくても、要求する薬剤液の濃度を迅速で正確に組成させることができるようにしたバラスト水殺菌処理用薬剤貯蔵及び溶解装置を提供することができる。
【符号の説明】
【００４６】
１      薬剤貯蔵及び溶解装置
１ａ    装置ベース
２      薬剤溶解タンク
２ａ    過圧排出器
２ｂ    補強肉
２ｃ    取っ手
２ｄ    掛け環
３      薬剤液排出管
４      溶媒供給管
５      中和剤投入管
５ａ    流量計
６      循環配管
６ａ    フリーミキサー
６ｂ    Ｙフィルター
７      循環ポンプ
８      撹拌器
８ａ    撹拌モータ
８ｂ    インペラ軸
９      インペラ
９ａ    インペラハブ
９ｂ    撹拌翼
１０    薬剤定量投入器
１１    ホールディングケース
１１ａ  漏斗部
１２    薬剤投入管
１３    装着フランジ
１３ａ  締結孔
１３ｂ  装着ボルト
１４    薬剤貯蔵桶
１４ａ  従動ギア
１５    薬剤貯蔵室
１５ａ  仕切板
１６    カバーキャップ
１６ａ  締結部
１７    投入口カバー
１７ａ  取っ手部
１７ｂ  カバー板
１７ｃ  装着スリット
１８    貯蔵桶支持板
１８ａ  薬剤投入口
２０    ステッピングモーター
２１    駆動軸
２２    駆動ギア
２３    モータ支持台
Ｖ      バルブ機構
【図１】
2017527439.tif 000003
【図２】
2017527439.tif 000004
【図３】
2017527439.tif 000005
【図４】
2017527439.tif 000006
【図５】
2017527439.tif 000007
【図６】
2017527439.tif 000008
【手続補正書】
【提出日】平成29年3月30日(2017.3.30)
【手続補正１】
【補正対象書類名】特許請求の範囲
【補正対象項目名】全文
【補正方法】変更
【補正の内容】
【特許請求の範囲】
【請求項１】
バルブ機構を具備する溶媒供給管と薬剤液排出管がそれぞれ連結設置される函体形の薬剤溶解タンクと、前記薬剤溶解タンクの内部に投入される薬剤の貯蔵と配分のための薬剤投入器と、前記薬剤投入器から薬剤溶解タンクに投入された薬剤を溶媒と共に混合及び溶解させるための撹拌器を含んでなされるバラスト水殺菌処理用薬剤貯蔵及び溶解装置において、
前記薬剤投入器は薬剤溶解タンクの上部側から垂直方向に設置されて薬剤の自由落下式定量投入を遂行する薬剤定量投入器よりなり、
前記薬剤定量投入器は、上、下端部が開口された円筒または多角桶形状の薬剤貯蔵桶と、前記薬剤貯蔵桶が垂直方向に挿入設置される円筒形状のホールディングケースと、前記ホールディングケースに挿入された薬剤貯蔵桶を直立された状態で回転させるための駆動手段を含んで構成され、
前記薬剤貯蔵桶の内部空間は放射状の仕切板によって最小個以上の垂直型薬剤貯蔵室で区画形成されて、前記ホールディングケースの内側下部には薬剤貯蔵桶の下端面と密着される貯蔵桶支持板が設置される一方、前記貯蔵桶支持板には一つの薬剤貯蔵室と対応される扇形または三角形態の薬剤投入口が形成されて、
前記ホールディングケースの下端部は、薬剤溶解タンクの上部面を貫通する薬剤投入管よりなり、前記薬剤貯蔵桶の上端には着脱式カバーキャップが組み立て設置されることを特徴とするバラスト水殺菌処理用薬剤貯蔵及び溶解装置。
【請求項２】
前記駆動手段は、薬剤貯蔵桶の上側周縁部に固定設置される従動ギアと、前記従動ギアを薬剤貯蔵桶と共に回転させるためのステッピングモーターと、前記ステッピングモーターの駆動軸に設置されて従動ギアと噛み合うようになる駆動ギアを含んで構成され、
前記従動ギアの下部側に該当する薬剤貯蔵桶部分がホールディングケースの内部に挿入設置されて、前記従動ギアはホールディングケースの上端面に置かれることを特徴とする請求項に記載のバラスト水殺菌処理用薬剤貯蔵及び溶解装置。
【請求項３】
前記ステッピングモーターはホールディングケースの外側面に突出形成されたモータ支持台上に設置されることを特徴とする請求項に記載のバラスト水殺菌処理用薬剤貯蔵及び溶解装置。
【請求項４】
前記貯蔵桶支持板の下側には薬剤投入口を選択的に開閉させる投入口カバーが設置されて、前記ホールディングケースには投入口カバーの挿入のための装着スリットが形成されて、
前記投入口カバーは、装着スリットを通じてホールディングケースの内部に挿入される薬剤投入口用のカバー板と、前記カバー板の一側端に設置されてホールディングケースの外側面と密着される取っ手部でなされることを特徴とする請求項に記載のバラスト水殺菌処理用薬剤貯蔵及び溶解装置。
【請求項５】
前記ホールディングケースの下端側は漏斗部に形成されて、前記薬剤投入管は漏斗部の下端側から所定の長さ程度垂直下方に延長形成されて、
前記貯蔵桶支持板は漏斗部の直上部に配置されて、前記薬剤投入管の外周縁部にはホールディングケースを薬剤溶解タンク上に組み立てさせるための装着フランジが設置されることを特徴とする請求項乃至のうち何れか一つに記載のバラスト水殺菌処理用薬剤貯蔵及び溶解装置。
【請求項６】
前記薬剤溶解タンクにはバルブ機構と流量計を具備する中和剤投入管が連結設置されて、
前記薬剤溶解タンクの上部面には過圧排出器が設置されて、
前記薬剤溶解タンクの底面は漏斗形状で構成され、
前記薬剤液排出管は漏斗型底面の下端頂点部分と連結設置されることを特徴とする請求項乃至のうち何れか一つに記載のバラスト水殺菌処理用薬剤貯蔵及び溶解装置。
【請求項７】
前記薬剤溶解タンクにはバルブ機構と循環ポンプを具備する循環配管が追加で設置されて、前記循環配管は薬剤溶解タンクの下端側と上部面を連結する配管ラインになって、
前記中和剤投入管は循環配管と連結設置されることを特徴とする請求項に記載のバラスト水殺菌処理用薬剤貯蔵及び溶解装置。
【手続補正２】
【補正対象書類名】明細書
【補正対象項目名】０００１
【補正方法】変更
【補正の内容】
【０００１】
本発明は、溶媒(淡水または海水)が流入及び貯蔵される薬剤溶解タンクの上部に円筒形状のホールディングケースを垂直方向に固定設置して、前記ホールディングケースの内部に円筒または多角桶形状の薬剤貯蔵桶を垂直方向に挿入設置するが、前記薬剤貯蔵桶の内部空間を放射状の仕切板によって複数個の垂直型薬剤貯蔵室に形成させる一方、前記ホールディングケースの底面には一つの薬剤貯蔵室と対応する薬剤投入口を形成させることで、前記薬剤貯蔵桶を直立した状態で回転させてそれぞれの薬剤貯蔵室を薬剤投入口と順次に対応させる方式で薬剤溶解タンクを通じた薬剤の自然落下式定量投入が可能であるようにさせたバラスト水殺菌処理用薬剤貯蔵及び溶解装置に関するものである。
【手続補正３】
【補正対象書類名】明細書
【補正対象項目名】０００３
【補正方法】変更
【補正の内容】
【０００３】
前記のようなバラスト水には、バラスト水を満たした地域の淡水や海水に含まれた病原性菌及びプランクトンなどの各種微生物が棲息しているので、これを何らの処理なしに他地域の水域に排出させる場合、バラスト水による深刻な海洋汚染及び生態系の破壊を誘発させる恐れが高くなる。
【手続補正４】
【補正対象書類名】明細書
【補正対象項目名】０００４
【補正方法】変更
【補正の内容】
【０００４】
上のような状況に即して、１９９６年アメリカでは国家侵入種法律を制定することで、外来種を侵入種と規定してバラスト水に対する管理と統制を義務化しており、オーストラリアでは検疫法を改正してバラスト水を検疫対象になる輸入貨物で規定することはもちろん、これに対する直接検疫を実施している。
【手続補正５】
【補正対象書類名】明細書
【補正対象項目名】０００５
【補正方法】変更
【補正の内容】
【０００５】
一方、国際海事機関(ＩＭＯ:International Maritime Organization)では２００４年２月国際協約を締結して２００９年から順次にバラスト水の殺菌及び浄化処理に必要な装置を船舶に搭載するようにした。
【手続補正６】
【補正対象書類名】明細書
【補正対象項目名】０００６
【補正方法】変更
【補正の内容】
【０００６】
参照事項で、国際海事機関が決めるバラスト水処理基準によれば、船舶から排出されるバラスト水に含まれる５０μm以上の微生物(主に、動物性プランクトン)の数は１ｍ３中に１０個未満、１０μm以上５０μm未満の微生物(主に、植物性プランクトン)の数は１ｍＬ中に１０個未満、コレラ菌の数は１００ｍＬ中に１ｃｆｕ未満、大膓菌の数は１００ｍＬ中に２５０ｃｆｕ未満、腸球菌の数は１００ｍＬ中に１００ｃｆｕ未満だけでなされている。
【手続補正７】
【補正対象書類名】明細書
【補正対象項目名】０００７
【補正方法】削除
【補正の内容】
【手続補正８】
【補正対象書類名】明細書
【補正対象項目名】０００８
【補正方法】変更
【補正の内容】
【０００８】
バラスト水中の微生物を死滅させるために使われる薬剤は毒性を持っている酸化剤の形態が大部分であるので、作業者の安全のために取り扱いに注意を要し、特に、船上でのような制限的で密閉的な環境条件下で該当薬剤を扱う場合には安全が最優先的に考慮されなければならない。しかしながら、現在までは薬剤液の正確な濃度を合わせるために溶媒(淡水または海水)が貯蔵された薬剤溶解タンクに薬剤を投入させる作業を人力に頼っているのが実情である。
【手続補正９】
【補正対象書類名】明細書
【補正対象項目名】０００９
【補正方法】変更
【補正の内容】
【０００９】
一方で、薬剤が貯蔵された薬剤貯蔵桶の下端投入口に移送スクリュー装置を設置し、該当移送スクリュー装置の出口側を薬剤溶解タンクと連結させることで、薬剤の供給をスクリュー移送方式で遂行するようにすることもできるが、薬剤の大部分が粉末またはペレット(Pellet:錠剤や粒子)の形態を有するため、移送スクリューを通じた薬剤の移送方式としては、正確な量の薬剤投入を保障し難い問題点が発生することとなる。
【手続補正１０】
【補正対象書類名】明細書
【補正対象項目名】００１０
【補正方法】変更
【補正の内容】
【００１０】
また、移送スクリューを利用して粉末やペレットの形態の薬剤を供給させるようになれば、移送スクリューに沿って薬剤粉末や薬剤ペレットが固化し、薬剤の内部に発生する粒子間の空隙や薬剤間の密集度が時々刻々、変わるようになるというものである。これによって薬剤成分が溶解された薬剤液の濃度もバラスト水の処理に要求される基準を越すか、または該当基準に及ぶことができない状況がよく起きる。
【手続補正１１】
【補正対象書類名】明細書
【補正対象項目名】００１１
【補正方法】変更
【補正の内容】
【００１１】
前記のような要因によって、スクリュー移送方式で薬剤を供給する場合には薬剤液の濃度を感知するセンサー器具を薬剤溶解タンクに設置した状態で、該当センサー器具から測定された濃度基準に合わせて移送スクリュー装置による薬剤の追加投入(低濃度時)または薬剤溶解タンクを通じた溶媒の追加投入(高濃度時)などをコントローラーで制御して薬剤液の濃度を要求する基準に合わせて調整させる作業が伴わなければならない。
【手続補正１２】
【補正対象書類名】明細書
【補正対象項目名】００１２
【補正方法】変更
【補正の内容】
【００１２】
更に、前記のような方式に従えば、バラスト水の１回殺菌処理に必要な薬剤と溶媒の投入量が基準値を超過する素地があるので、薬剤と溶媒の不必要な無駄使いを誘発させるだけでなく、薬剤貯蔵桶と移送スクリュー装置及び薬剤溶解タンクと共に薬剤液の濃度調整のための制御システムが追加で設置されなければならない。このことで、設置費用の上昇による経済的な負担は勿論であるが、船舶内の狭小な空間に制御システムを追加で配置させる作業も困難であるという問題点があった。
【手続補正１３】
【補正対象書類名】明細書
【補正対象項目名】００１３
【補正方法】変更
【補正の内容】
【００１３】
本発明は、前記のような従来の問題点を解決するために案出されたものであり、溶媒(淡水または海水)が流入及び貯蔵される薬剤溶解タンクの上部に円筒形状のホールディングケースを垂直方向に固定設置して、前記ホールディングケースの内部に円筒または多角桶形状の薬剤貯蔵桶を垂直方向に挿入設置するが、前記薬剤貯蔵桶の内部空間を放射状の仕切板によって複数個の垂直型薬剤貯蔵室に形成させる一方、前記ホールディングケースの底面には一つの薬剤貯蔵室と対応される薬剤投入口を形成させることで、前記薬剤貯蔵桶を直立された状態で回転させて、それぞれの薬剤貯蔵室を薬剤投入口と順次に対応させる方式で薬剤溶解タンクを通じた薬剤の自然落下式定量投入が可能であるようにさせている。これによって、人体に有害な毒性を有する酸化剤形態の薬剤をより安全に管理及び使用するようにすることは勿論、それぞれの薬剤貯蔵室ごとにバラスト水の殺菌処理に要求される１回分の薬剤を正確な量で貯蔵させた状態で該当の薬剤が薬剤溶解タンクに投入されることができるようにすることで、薬剤と溶媒の不必要な無駄使いを防止すると同時に、薬剤液の濃度調節のための複雑な制御システムを適用しなくても要求する薬剤液の濃度を迅速で正確に組成させることができるようにしたバラスト水殺菌処理用薬剤貯蔵及び溶解装置を提供することをその技術的な課題とする。
【手続補正１４】
【補正対象書類名】明細書
【補正対象項目名】００１４
【補正方法】変更
【補正の内容】
【００１４】
前記の技術的課題を解決するための手段で、本発明の一実施例によれば、バルブ器具を具備する溶媒供給管と薬剤液排出管がそれぞれ連結設置される函体形の薬剤溶解タンクと、前記薬剤溶解タンクの内部に投入される薬剤の貯蔵と配分のための薬剤投入器と、前記薬剤投入器から薬剤溶解タンクに投入された薬剤を溶媒と共に混合及び溶解させるための撹拌器（攪拌機）よりなるバラスト水殺菌処理用薬剤貯蔵及び溶解装置において、前記薬剤投入器は薬剤溶解タンクの上部側から垂直方向に設置されて薬剤の自由落下式定量投入を可能とし、上、下端部が開口された円筒または多角桶形状の薬剤貯蔵桶と、前記薬剤貯蔵桶が垂直方向に挿入設置される円筒形状のホールディングケースと、前記ホールディングケースに挿入された薬剤貯蔵桶を直立された状態で回転させるための駆動手段を含んで構成され、前記薬剤貯蔵桶の内部空間は放射状の仕切板によって最小３個以上の垂直型薬剤貯蔵室で区画形成されて、前記ホールディングケースの内側下部には薬剤貯蔵桶の下端面と密着される貯蔵桶支持板が設置される一方、前記貯蔵桶支持板には一つの薬剤貯蔵室と対応される扇形または三角形態の薬剤投入口が形成されて、前記ホールディングケースの下端部は薬剤溶解タンクの上部面を貫通する薬剤投入管よりなり、前記薬剤貯蔵桶の上端には着脱式カバーキャップが組み立て設置されるバラスト水殺菌処理用薬剤貯蔵及び溶解装置が提供される。
【手続補正１５】
【補正対象書類名】明細書
【補正対象項目名】００１５
【補正方法】変更
【補正の内容】
【００１５】
一実施例で、前記薬剤貯蔵桶の駆動手段は、薬剤貯蔵桶の上側周縁部に固定設置される従動ギアと、前記従動ギアを薬剤貯蔵桶と共に回転させるためのステッピングモーターと、前記ステッピングモーターの駆動軸に設置されて従動ギアとかみ合うようになる駆動ギアを含んで構成され、前記従動ギアの下部側に該当する薬剤貯蔵桶部分がホールディングケースの内部に挿入設置され、前記従動ギアはホールディングケースの上端面に置かれることを特徴とし、前記ステッピングモーターはホールディングケースの外側面に突出形成されたモータ支持対象に設置されることを特徴として、前記貯蔵桶支持板の下側には薬剤投入口を選択的に開閉させる投入口カバーが設置され、前記ホールディングケースには投入口カバーの挿入のための装着スリットが形成されて、前記投入口カバーは、装着スリットを通じてホールディングケースの内部に挿入される薬剤投入口用カバー板と、前記カバー板の一側端に設置されてホールディングケースの外側面と密着される取っ手部でなされることを特徴とする。
【手続補正１６】
【補正対象書類名】明細書
【補正対象項目名】００１６
【補正方法】変更
【補正の内容】
【００１６】
また、前記ホールディングケースの下端側は漏斗部で形成され、前記薬剤投入管は漏斗部の下端側から所定の長さ程度垂直下方に延長形成され、前記貯蔵桶支持板は漏斗部の直上部に配置されて、前記薬剤投入管の外周縁部にはホールディングケースを薬剤溶解タンク上に組み立てさせるための装着フランジが設置されることを特徴として、前記薬剤溶解タンクにはバルブ器具と流量計を具備する中和剤投入管が連結設置されて、前記薬剤溶解タンクの上部面には過圧排出器が設置されて、前記薬剤溶解タンクの底面は漏斗形状でなされ、前記薬剤液排出管は漏斗型底面の下端頂点部分と連結設置されることを特徴として、前記薬剤溶解タンクにはバルブ器具と循環ポンプを具備する循環配管が追加で設置されて、前記循環配管は薬剤溶解タンクの下端側と上部面を連結する配管ラインとなって、前記中和剤投入管は循環配管と連結設置されることができる。
【手続補正１７】
【補正対象書類名】明細書
【補正対象項目名】００１９
【補正方法】変更
【補正の内容】
【００１９】
【図１】本発明の実施の形態によるバラスト水殺菌処理用薬剤貯蔵及び溶解装置の外観斜視図である。
【図２】図１の正断面図である。
【図３】本発明の主眼点をなす薬剤定量投入器の分解斜視図である。
【図４】図３の結合された状態の正断面図である。
【図５】ホールディングケースの平面図である。
【図６】薬剤貯蔵桶の他の実施例を示す平面図である。
【手続補正１８】
【補正対象書類名】明細書
【補正対象項目名】００２２
【補正方法】変更
【補正の内容】
【００２２】
前記薬剤溶解タンク２の外側面には構造的強度の補強のための格子型の補強サポート２ｂが設置される一方、薬剤定量投入器１０と撹拌器８の設置及び維持補修などのために作業者が薬剤溶解タンク２の上部に上がるように梯子形態の取っ手２ｃが設置されており、薬剤溶解タンク２の上部面には過圧排出器２ａと運び用の掛け環２ｄが追加で設置されて、薬剤溶解タンク２の下部側には支持板とフレームによる装置ベース１ａが設置されている。
【手続補正１９】
【補正対象書類名】明細書
【補正対象項目名】００２４
【補正方法】変更
【補正の内容】
【００２４】
本発明の第１主眼点に該当する前記薬剤定量投入器１０は薬剤溶解タンク２の上部面に垂直方向で連結設置されて薬剤の自由落下式定量投入を遂行するようにしたものとして、図１から図５にわたって示されるように、上、下端部が開口された円筒形状の薬剤貯蔵桶１４と、前記薬剤貯蔵桶１４が垂直方向に挿入設置される円筒形状のホールディングケース１１と、前記ホールディングケース１１に挿入された薬剤貯蔵桶１４を直立された状態で回転させるための駆動手段を含んで構成される。
【手続補正２０】
【補正対象書類名】明細書
【補正対象項目名】００３０
【補正方法】変更
【補正の内容】
【００３０】
本発明の第２主眼点に該当する構成要素として前記薬剤貯蔵桶１４の駆動手段は、薬剤貯蔵桶１４の上側周縁部に固定設置される従動ギア１４ａと、前記従動ギア１４ａを薬剤貯蔵桶１４と共に回転させるためのステッピングモーター２０と、前記ステッピングモーター２０の駆動軸２１に設置されて従動ギア１４ａとかみ合うようになる駆動ギア２２を含んで構成され、前記従動ギア１４ａも薬剤貯蔵桶１４と一体で形成させることが望ましい。
【手続補正２１】
【補正対象書類名】明細書
【補正対象項目名】００３２
【補正方法】変更
【補正の内容】
【００３２】
前記のように薬剤貯蔵桶１４の外周面に従動ギア１４ａを設置して、これをステッピングモーター２０の駆動ギア２２と直結させる方式を適用することが駆動手段の手軽い設置と容易な維持および補修の両側面で一番望ましい。駆動ギア２２と従動ギア１４ａが噛み合うギア式電動手段以外にもベルトとプーリーまたはチェーンとスープラケットなどの他の電動手段が適用されることもでき、駆動ギア２２と従動ギア１４ａをベルトギア(タイミングベルト)で連結させる方式も可能である。
【手続補正２２】
【補正対象書類名】明細書
【補正対象項目名】００３３
【補正方法】変更
【補正の内容】
【００３３】
しかし、ホールディングケース１１の内部に挿入された薬剤貯蔵桶１４を直立された状態で回転させることができるものならどのような形態の駆動手段が適用されても構わない。代表的な例を挙げると、薬剤貯蔵桶１４の下側面中心部、すなわち、それぞれの仕切板１５ａが交差される部分に回転軸を一体で連結設置するが、前記回転軸が貯蔵桶支持板１８を貫通して薬剤投入管１２の内部まで延長されるようにして、薬剤投入管１２の内部中心側に放射状の支持台によってステッピングモーター２０を配置させた状態で、ステッピングモーター２０の駆動軸２１を薬剤貯蔵桶１４の回転軸と連結させるものである。
【手続補正２３】
【補正対象書類名】明細書
【補正対象項目名】００３４
【補正方法】変更
【補正の内容】
【００３４】
本発明の第３主眼点に該当する構成要素として、前記貯蔵桶支持板１８の下側には薬剤投入口１８ａを選択的に開閉させる投入口カバー１７が設置されて、前記ホールディングケース１１の漏斗部１１ａ上端側には投入口カバー１７の挿入のための長孔形態の装着スリット１７ｃが形成されるが、前記投入口カバー１７は、装着スリット１７ｃを通じてホールディングケース１１の内部に挿入される薬剤投入口１８ａ用のカバー板１７ｂと、前記カバー板１７ｂの一側端に設置されてホールディングケース１１の外側面と密着される取っ手部１７ａで構成することが一番望ましい。
【手続補正２４】
【補正対象書類名】明細書
【補正対象項目名】００４６
【補正方法】変更
【補正の内容】
【００４６】
１      薬剤貯蔵及び溶解装置
１ａ    装置ベース
２      薬剤溶解タンク
２ａ    過圧排出器
２ｂ    補強サポート
２ｃ    取っ手
２ｄ    掛け環
３      薬剤液排出管
４      溶媒供給管
５      中和剤投入管
５ａ    流量計
６      循環配管
６ａ    フリーミキサー
６ｂ    Ｙフィルター
７      循環ポンプ
８      撹拌器
８ａ    撹拌モータ
８ｂ    インペラ軸
９      インペラ
９ａ    インペラハブ
９ｂ    撹拌翼
１０    薬剤定量投入器
１１    ホールディングケース
１１ａ  漏斗部
１２    薬剤投入管
１３    装着フランジ
１３ａ  締結孔
１３ｂ  装着ボルト
１４    薬剤貯蔵桶
１４ａ  従動ギア
１５    薬剤貯蔵室
１５ａ  仕切板
１６    カバーキャップ
１６ａ  締結部
１７    投入口カバー
１７ａ  取っ手部
１７ｂ  カバー板
１７ｃ  装着スリット
１８    貯蔵桶支持板
１８ａ  薬剤投入口
２０    ステッピングモーター
２１    駆動軸
２２    駆動ギア
２３    モータ支持台
Ｖ      バルブ機構
【国際調査報告】
2017527439.tif 000009
2017527439.tif 000010
2017527439.tif 000011
2017527439.tif 000012